(57)【要約】【課題】天板の裏面周縁部に金属製レールを有する臥位型のＸ線撮影装置において、レールの部分を避けて確実に所望する箇所のＸ線撮影を可能とする。【解決手段】天板上に載置した被験者にＸ線を照射して被検者の内部を撮影するＸ線撮影装置であって、被検者を載置するための天板２と、天板２を上下動自在に支持するための昇降駆動部３と、昇降駆動部３と天板２間に回動自在に備えられた、受光体を備えたカセッテを収容する受像部７とを具備し、天板２は、長手方向及び長手方向に直交する方向へ移動自在であり、透明な樹脂製の天板本体９と、天板本体９の裏面周縁部に配置した金属製のレールと、天板本体９の表面周縁部において、金属製のレールに対応した箇所に形成したライン部１１を具備したことを特徴とし、ライン部１１により撮影可能領域と撮影不能領域の境界を明確にした。【選択図】図１
0003207666.tif 000002
【実用新案登録請求の範囲】
【請求項１】
天板上に載置した被験者にＸ線を照射して被検者の内部を撮影するＸ線撮影装置であって、
被検者を載置するための天板（２）と、
該天板（２）を上下動自在に支持するための昇降駆動部（３）と、
該昇降駆動部（３）と前記天板（２）間に備えられた、受光体を備えたカセッテを収容する受像部（７）と、を具備し、
前記天板（２）は、
透明な樹脂製の天板本体（９）と、
該天板本体（９）の裏面周縁部に配置した金属製のレールと、
前記天板本体（９）の表面周縁部において、前記金属製のレールに対応した箇所に形成したライン部（１１）と、を具備したことを特徴とするＸ線撮影装置。
【請求項２】
前記受像部（７）が回動自在であることを特徴とする請求項１に記載のＸ線撮影装置。
【請求項３】
前記天板（２）が、長手方向に移動自在であることを特徴とする請求項１又は請求項２に記載のＸ線撮影装置。
【請求項４】
前記天板（２）が、長手方向に直交する方向へ移動自在であることを特徴とする請求項１乃至請求項３のいずれかに記載のＸ線撮影装置。
【請求項５】
前記天板本体（９）がアクリル製であることを特徴とする請求項１乃至請求項４のいずれかに記載のＸ線撮影装置。
【請求項６】
前記金属製レールがアルミ製レールであることを特徴とする請求項１乃至請求項５のいずれかに記載のＸ線撮影装置。
【考案の詳細な説明】
【技術分野】
【０００１】
本考案は、被検者を主に天板上に仰臥させた状態でＸ線撮影するためのＸ線撮影装置に係り、より詳しくは、確実に被検者のＸ線撮影を行うことを可能にしたＸ線撮影装置に関する。
【背景技術】
【０００２】
従来から、Ｘ線を用いて人体の内部を撮影するＸ線撮影装置が医療分野で広く用いられており、このＸ線撮影装置には、被写体である被験者を立たせた状態で撮影する立位型や、被写体である被験者を撮影台上に寝かせた状態で撮影する臥位型がある。
【０００３】
ここで、図２は臥位型のＸ線撮影装置を示した図であり、図において４１が臥位型のＸ線撮影装置である。そして、仰臥台のＸ線撮影装置４１は一般的に、上下方向に駆動する昇降駆動部４３を有しており、この昇降駆動部４３の上部には昇降板４４が設けられている。
【０００４】
また、この昇降板４４には、被検者が仰臥するための天板４２が支持されており、更に、昇降板４４の中央部分には、Ｘ線撮影用のフィルムや撮像素子等の受光体を備えたカセッテが収容される受像部４５が配置されている。
【０００５】
また、前記昇降駆動部４３の周囲は蛇腹で覆われており、その内部には、昇降板４４と下部の基台４６間に、パンダグラフ機構のような、昇降板４４を上下するための機構が内蔵されている。
【０００６】
そして、このように構成されるＸ線撮影装置で被検者のＸ線撮影を行う場合には、天板４２上に被検者を主に仰臥させ、天井方向からＸ線放射装置を垂下し、Ｘ線照射装置を被検者の患部の上面に位置させる。
【０００７】
そしてこの状態で、Ｘ線放射装置から患部に向けてＸ線を照射する。そうすると、Ｘ線が、被験者を透過して、被験者の体内を、受像部４５に収納したカセッテ内の受像素子に感光し、Ｘ線透視画像を得ることが可能になる。
【０００８】
ここで、図３は前記天板４２の平面を示す図であり、図において４７は天板本体であり、図３における天板４２は、透明な樹脂等よりなる天板本体４７を有している。即ち、近年、臥位型のＸ線撮影装置においては、天板本体４７を透明なアクリル等の樹脂製にしたものが提供されている。そして、この類の天板４２では、長方形の天板本体４７の周囲にフレーム４８を備えており、更に、天板本体４７の裏面周縁部には、天板本体４７の強度を維持するために、アルミ製のレール４９が配置されている。
【０００９】
一方、図において５０は天板本体４７の表面周縁部に表示したラインである。即ち、天板本体４７を透明な樹脂製にした場合には、天板本体４７の強度を維持するために、天板本体４７の裏面周縁部にアルミ製のレール４９を配置することが行われるが、見た目のデザイン性のために、このアルミ製レール４９を隠すために、天板本体４７の表面周縁部に塗装により、ライン５０を表示している。そしてこのとき、従来は、確実にアルミ製レール５０を目隠しするために、ライン５０は、前記アルミ製のレール４９よりも太い幅に形成していた。
【先行技術文献】
【特許文献】
【００１０】
【特許文献１】特開２０１５−１３１０１０号公報
【特許文献２】特開２０１５−１００６２３号公報
【特許文献３】特開２００３−２８４７１５号公報
【考案の概要】
【考案が解決しようとする課題】
【００１１】
ところで、前述したように、天板本体４７を透明な樹脂製にした場合には天板本体４７の強度を維持するために天板本体４７の裏面周縁部にアルミ製のレール４９を配置し、更に、このアルミ製のレール４９を隠してデザイン性を高めるために天板本体４７の表面周縁部におけるアルミ製のレール４９の上方に塗装によりライン５０を形成しているが、このとき、Ｘ線は金属を透過しないために、アルミ製のレール４９の上に被検者の患部が位置してしまった場合には、その部分をＸ線画像を得ることができない。
【００１２】
一方、前述したように従来は、アルミ製レールを確実に目隠しするために、塗装ライン５０の幅は、アルミ製レール４９よりも太い幅に形成していたので、アルミ製レール４９の幅を正確に把握することができず、従って、Ｘ線を透過する部分としない部分の境界を把握することができなかった。即ち、図３において点線で示した４９の部分がアルミ製レール４９の内周側縁部であり、この部分が、Ｘ線を透過する部分としない部分の境界であるが、図に示すように、従来は塗装ライン５０の幅がアルミ製レール４９の幅よりも太いために、アルミ製レール４９の内周側縁部の位置が把握できず、従って、Ｘ線を透過する部分としない部分の境界を知ることができなかった。
【００１３】
そのために、図３に示すような、天板本体の裏面周縁部にアルミ製レールを配置するとともに天板本体の表面周縁部におけるアルミ製レールの上方にアルミ製レールの幅よりも太い幅の塗装ラインを形成した臥位型のＸ線撮影装置では、アルミ製レールの上方に撮影を欲する患部が位置してしまい、それにより、撮影を欲していたにもかかわらず、撮影ができない部分が発生してしまうことも考えられ、そしてかかる場合には、再度のＸ線撮影が必要になり、それにより無駄な被爆をしてしまうという問題点も考えられた。
【００１４】
そこで、本考案は、天板の裏面周縁部に金属製レールを有するＸ線撮影装置において、金属製レールの部分を避けて確実に所望する箇所のＸ線撮影を可能としたＸ線撮影装置を提供することを課題としている。
【課題を解決するための手段】
【００１５】
本考案のＸ線撮影装置は、天板上に載置した被験者にＸ線を照射して可視化することで被検者の内部を撮影するＸ線撮影装置であって、
被検者を載置するための天板と、
該天板を上下動自在に支持するための昇降駆動部と、
該昇降駆動部と前記天板間に備えられた、撮像素子等の受光体を収容するカセッテを収容する受像部と、を具備し、
前記天板は、
透明な樹脂製の天板本体と、
該天板本体の裏面周縁部に配置した金属製のレールと、
前記天板本体の表面周縁部において、前記金属製のレールに対応した箇所に形成したライン部と、を具備したことを特徴としている。
【考案の効果】
【００１６】
本考案のＸ線撮影装置では、天板上に載置した被験者にＸ線を照射して可視化することで被検者の内部を撮影する臥位型のＸ線撮影装置において、天板は、透明な樹脂製の天板本体とこの天板本体の裏面周縁部に配置した金属製のレールを具備するとともに、天板本体の表面周縁部において、金属製のレールに対応した箇所にライン部を形成している。
【００１７】
そのために、ライン部の位置を把握することで、Ｘ線を透過しない金属製のレール部の位置を確実に知ることができるので、金属製レールの部分を避けて確実に所望する箇所のＸ線撮影が可能である。
【図面の簡単な説明】
【００１８】
【図１】本考案のＸ線撮影装置の実施例を示す斜視図である。
【図２】従来の臥位型のＸ線撮影装置を説明するための図である。
【図３】従来の臥位型のＸ線撮影装置を説明するための図である。
【考案を実施するための形態】
【００１９】
本考案のＸ線撮影装置は、被検者を載置するための天板を有しており、この天板は、昇降駆動部によって上下動自在に支持され、昇降駆動部の上部には受像部が配置されている。そして、受像部は、Ｘ線を受光して被検者の内部を可視化するための撮像素子等の受光体を備えたカセッテを収容することとしている。
【００２０】
そして、前記天板は、アクリル等の透明な樹脂製の天板本体と、この天板本体の裏面周縁部に配置したアルミ製のレールを具備するとともに、更に、天板本体の表面周縁部には、アルミ製のレールに対応した箇所に、ライン部が塗装により形成されている。
【００２１】
ここで、前記受像部を回動自在にするとよく、それにより、被検者の撮影箇所に対応させて受像部を回動することで、被検者が撮影箇所に応じて向きを変える必要を無くすことができ、被検者の負担を少なくすることができる。
【実施例１】
【００２２】
本考案のＸ線撮影装置の実施例について図面を参照して説明すると、図１は、本実施例のＸ線撮影装置を示す図であり、正面側から見た斜視図である。
【００２３】
そして、図において１がＸ線撮影装置であり、本実施例のＸ線撮影装置１は、天板上に被検者を載置し、その状態で被検者の患部をＸ線撮影するために用いる臥位型のＸ線撮影装置であり、平面視野で横長の長方形状としている。なお、被検者を載置する際の被験者の姿勢は特に限定されず、撮影する患部によって、仰臥、横臥、あるいは背臥等が考えられる。
【００２４】
そして、図において２が天板であり、この天板２は長方形の板状としており、昇降駆動部３に上下動自在に支持されており、天板２を下降させた状態で被検者が天板２上に仰臥等し、その後に天板２を適宜な位置まで上昇させることを可能としている。
【００２５】
ここで、前記昇降駆動部３について説明すると、本実施例において前記昇降駆動部３は、一般的に臥位型のＸ線撮影装置で採用されている昇降駆動部と同様の構成としており、基台４上にパンダグラフ状に組まれた駆動装置（図示せず）が配置されており、この駆動装置の上部には昇降板５が配置されている。そして、前記駆動装置の周囲は蛇腹６で覆われている。なお、パンダグラフ型の昇降機構は周知であるので、昇降駆動部３の詳細な説明は省略する。
【００２６】
次に、図において７は受像部である。即ち、本実施例のＸ線撮影装置では前記昇降駆動部３と天板２の間に受像部７を配置しており、この受像部７内に、撮影用フィルムや撮像素子等の受光体を収容するカセッテを、出し入れ自在に収容可能としている。
【００２７】
そして、本実施例において前記受像部７は、前記昇降板５に回動自在に支持されており、これにより、撮影箇所に対応して回動することで、カセッテを入れ直すことを不要としている。なお本実施例においては、前記受像部７は９０度回転可能としている。但し、受像部７は必ずしも回動自在にする必要はない。
【００２８】
なお、図において１２は、撮影用フィルムや撮像素子等の受光体を備えたカセッテを収容するためのカセッテホルダーであり、受像部７に挿抜自在としている。また図において１３は各種のパネルスイッチが配置されたスイッチ部である。
【００２９】
次に、前記天板２について説明すると、本実施例において前記天板２は、可動部材に支持されている。即ち、図において８が可動部材であり、本実施例において前記可動部材８は、長尺の角棒状としている。そして、長手方向を前記昇降板５の長手方向に直交する向きにして前記受像部７の両側に配置され、長手方向に向いて前後方向にわずかに移動自在にして前記昇降板５に支持されている。
【００３０】
そして、前記天板２は、前記可動部材８上に装着されており、装着に際しては長手方向に移動自在にしており、これにより、前記天板２は、正面視野で前後方向、及び左右方向に移動自在としている。従って、本実施例のＸ線撮影装置１では、被検者を天板２上に載置した状態で天板を前後左右に移動できるので、撮影箇所に応じて被験者を移動させることが不要であり、被検者の負担を少なくすることが可能である。但し、天板２は必ずしも、移動自在にする必要はなく、固定式でもよく、また、前後あるいは左右のいずれかに移動自在としてもよい。
【００３１】
ここで、図において９は天板本体である。即ち、本実施例において前記天板２は、天板本体９を有しており、この天板本体９の周囲には、フレーム１０が備えられている。そして、本実施例において前記天板本体９及びフレーム１０はアクリル製としており、天板本体９は透明としている。但し、天板２は必ずしもアクリル製にする必要は無く、その他の樹脂製としても良い。
【００３２】
次に、図１において１１はライン部である。即ち、本実施例において前記天板本体９の裏面周縁部には、図示を省略するが、天板本体９の強度維持のために、アルミ製のレールを配置している。そして、前記天板本体９の表面周縁部において前記アルミ製のレールに対応する部分には、塗装によりラインが表示され、これにより、天板本体９の表面周縁部にライン部１１が形成されている。
【００３３】
従って、本実施例のＸ線撮影装置１では、ライン部１１によって天板本体９の裏面のレール部分を隠してデザイン性を高めることができる。また、前記ライン部１１はレールに対応する箇所に形成しているため、このライン部１１の存在により、撮影可能な領域と、レールの存在によって撮影が不可能になる領域との境界を明確にすることができ、これにより、レールの部分を避けて確実に所望する箇所のＸ線撮影を可能にすることができる。
【００３４】
即ち、前述したように、臥位型のＸ線撮影装置において、天板を透明な樹脂製にするとともに天板の強度を維持するために天板本体の裏面周縁部にアルミ製のレールを配置し、更にアルミ製のレールの幅よりも太い幅で天板本体の表面周縁部に塗装ラインを形成した場合には、アルミ製のレールの内周側の縁を知ることができないために、撮影が可能領域と不可能な領域の境界を把握することができない。そのため、アルミ製のレールの上に被検者の患部が位置してしまい所望する箇所を正確に撮影できない場合があり、かかる場合には再度のＸ線撮影が必要になり、被験者が無駄な被爆をしてしまうという問題点がある。しかしながら本実施例のＸ線撮影装置では、ライン部１１の位置がアルミ製のレールに対応する箇所に形成されているため、ライン部１１の内周側の縁部分とアルミ製のレールの内周側の縁部分の位置が一致する。そのため、ライン部１１の存在により、アルミ製のレールの内周側の縁部分の位置を知ることができ、従ってそれにより、撮影可能な領域と、レールの存在によって撮影が不可能になる領域との境界を容易に把握できるので、レールの部分を避けて確実に所望する箇所のＸ線撮影を可能にすることができる。なお天板の強度維持のために天板本体の裏面周縁部に配置するレールは、必ずしもアルミ製にする必要はなく、その他の金属製としても良い。
【００３５】
このように、本実施例のＸ線撮影装置では、ライン部１１の位置を把握することで、Ｘ線を透過しないアルミ製のレール部の位置を確実に知ることができるので、金属製レールの部分を避けて確実に所望する箇所のＸ線撮影が可能である。
【産業上の利用可能性】
【００３６】
本考案は、天板の裏面周縁部に金属製レールを備えた臥位型のＸ線撮影装置において、金属製レールの部分を避けて確実に所望する箇所のＸ線撮影を可能としているため、周縁部に撮影が不可能な部分を有する天板を用いたＸ線撮影装置の全般に適用可能である。
【符号の説明】
【００３７】
１    Ｘ線撮影装置
２    天板
３    昇降駆動部
４    基台
５    昇降板
６    蛇腹
７    受像部
８    可動部材
９    天板本体
１０    フレーム
１１    ライン部
１２    カセッテホルダー
１３    スイッチ部
【図１】
0003207666.tif 000003
【図２】
0003207666.tif 000004
【図３】
0003207666.tif 000005